(57)【要約】【課題】妻面側から吹きつける風が温室内に入り込むことを制限し、換気用フィルムのばたつきを抑制する。【解決手段】本発明は、一端縁８１が妻面１４との間で隙間を有しないように配置され、他端縁８２が換気用フィルム４０の外面と重なり合うように配置されるカバー用フィルム８０を備えてなる換気用フィルムのばたつき抑制機構を有する。また、巻き取り軸５０に追随して移動しながら回転力を付与する駆動部６０を、前記カバー用フィルム８０の内側において配設可能とした。従って、妻面側から吹きつける風が温室内に入り込むことを制限でき、換気用フィルムのばたつきを抑制し、強風時における作物の倒れ等の風害も抑制できる。【選択図】  図３
2004236511.tif 000002
【特許請求の範囲】
【請求項１】
温室の側面及び天井面のうち、少なくとも一部を開閉するために、巻き取り軸により巻き取り又は巻き戻し可能に設けられる換気用フィルムと、
前記側面又は天井面を形成する骨組み材に沿って、前記換気用フィルムの端縁と重なり合って、その内側に配設される固定フィルムと
を備えた温室であって、
前記換気用フィルムと固定フィルムとの隙間からの風の進入を制限して換気用フィルムのばたつきを抑制するため、一端縁が妻面との間で隙間を有しないように配置され、他端縁が前記換気用フィルムの外面と重なり合うように配置されるカバー用フィルムを備えてなる換気用フィルムのばたつき抑制機構を設け、前記巻き取り軸に追随して移動しながら回転力を付与する駆動部を、前記カバー用フィルムの内側に配設可能としたことを特徴とする温室。
【請求項２】
前記巻き取り軸に回転力を付与する駆動部を、該巻き取り軸に追随して移動させるため、前記固定フィルムの妻面寄りに、少なくとも該駆動部の移動範囲において前記固定フィルムが張られてない空隙部を形成し、
一端縁が妻面との間で隙間を有しないように配置され、他端縁が前記換気用フィルムの外面と重なり合うように配置される前記カバー用フィルムにより、前記空隙部を被覆したことを特徴とする請求項１記載の温室。
【請求項３】
少なくとも前記駆動部の移動範囲に亘る長さを有すると共に、前記空隙部の形成位置に対応し、かつ前記固定フィルムを支持する骨組み材よりも外方に位置するように設けられるカバー用支持材を備え、前記カバー用フィルムは、該カバー用支持材に支持されることにより、中途部が外方に膨出した状態で設けられていることを特徴とする請求項２記載の温室。
【請求項４】
前記カバー用フィルムは、前記換気用フィルムの巻き取り又は巻き戻し方向に沿った各端縁が、側面又は天井面を形成する適宜の骨組み材に固定されていることを特徴とする請求項１〜３のいずれか１に記載の温室。
【請求項５】
さらに、前記換気用フィルムを巻き取り又は巻き戻しする巻き取り軸と、該巻き取り軸に連結されて回転力を付与し、前記カバー用フィルムの内側に配設される駆動部とを備えたフィルム巻き取り装置を具備することを特徴とする請求項１〜４のいずれか１に記載の温室。
【請求項６】
温室の側面及び天井面のうち、少なくとも一部を開閉するために、巻き取り軸により巻き取り又は巻き戻し可能に設けられる換気用フィルムと、前記側面又は天井面を形成する骨組み材に沿って、前記換気用フィルムの端縁と重なり合って、その内側に配設される固定フィルムとの隙間からの風の進入を制限して、前記換気用フィルムのばたつきを抑制するために設けられ、
一端縁が妻面との間で隙間を有しないように配置され、他端縁が前記換気用フィルムの外面と重なり合うように配置されるカバー用フィルムを備えてなることを特徴とする換気用フィルムのばたつき抑制機構。
【請求項７】
少なくとも前記巻き取り軸に回転力を付与する駆動部の移動範囲に亘る長さを有し、前記固定フィルムを支持する骨組み材よりも外方に位置するように設けられ、前記カバー用フィルムを、その中途部が外方に膨出した状態で支持可能なカバー用支持材を備えていることを特徴とする請求項６記載の換気用フィルムのばたつき抑制機構。
【発明の詳細な説明】
【０００１】
【発明の属する技術分野】
本発明は、温室、及び該温室に設けられる換気用フィルムのばたつき抑制機構に関する。
【０００２】
【従来の技術】
温室は、一般に、ビニルフィルム、ポリオレフィン系フィルム、フッ素系フィルムなどのプラスチックフィルムを用いて形成されるが、温室内の換気を行うために、側面や天井面などに、換気用の開口部を形成している。例えば、側面に換気用の開口部を形成した場合には、該開口部を覆うように換気用フィルムを設け、このフィルムの端部に巻き取り軸を連結し、該巻き取り軸によってフィルムを巻き取ることにより開口し、巻き戻すことにより閉塞するように設けている（特許文献１参照）。また、換気用フィルムの中途部に巻き取り軸を連結して、巻き取り軸を境として両側に位置する部分を一緒に巻き取り又は巻き戻しする構成のものも知られている（特許文献２参照）。巻き取り軸は、手動式又は電動式の駆動部により回転されるが、該駆動部は換気用フィルムの巻き取り動作又は巻き戻し動作に追随して移動する。特許文献２に示されたものは、換気用フィルムの中途部から巻き取り又は巻き戻し可能とすることにより、特許文献１に示されたものよりも巻き取り軸及び駆動部の動作範囲を小さくでき、開口部の開閉を迅速に行えるという利点を有する。
【０００３】
【特許文献１】
実開平５−９１２９７号公報（図４）
【特許文献２】
実開平６−６６９６号公報（図１）
【０００４】
【発明が解決しようとする課題】
ところで、換気用フィルムを配設するに当たっては、具体的には、図５及び図６に示したように、温室２００の妻面２１０との境界から、側面に沿って所定の幅で固定フィルム２２０を配設し、換気用フィルム２３０をこの固定フィルム２２０の外面に重ね合わせ、巻き取り軸２４０の端部及び駆動部２５０を妻面２１０の外側に位置させて配設している。上記したように、駆動部２５０は、巻き取り軸２４０と共に、換気用フィルム２３０の巻き取り及び巻き戻しに伴って移動するものである。従って、かかる移動範囲においては、該駆動部２５０は温室２００のいずれの部位に対しても接触できないため、妻面２１０の外側、すなわち、温室２００の外側に配設せざるを得ない。
【０００５】
固定フィルム２２０を設けない場合には、妻面２１０と換気用フィルム２３０との間に直接隙間が生じ、風が入り込みやすい。上記した固定フィルム２２０は、換気用フィルム２３０をその外側に配設することにより、かかる風の進入を抑制する機能を有するのであるが、この場合であっても、妻面２１０側が風上となった場合には、固定フィルム２２０と換気用フィルム２３０との僅かな隙間から温室２００内に風が進入し、換気用フィルム２３０がばたつく原因となる。換気用フィルム２３０は、一般に、マイカー線と呼ばれるバンド部材２６０が外面に張設され、それによりばたつきを抑制するように設けられているが、それでもなお、強風時には、上記した固定フィルム２２０と換気用フィルム２３０との隙間から進入する風によって換気用フィルム２３０が大きくあおられる場合がある。
【０００６】
また、上記のように、巻き取り軸２４０を回転させる駆動部２５０は、温室２００の外側に設けざるを得ない。従って、温室２００内に設ける場合と比較すると、風雨に曝され易く傷み易い。また、悪天候時においても、巻き取り軸２４０を回転させる際には、温室２００の外で作業を行わなければならない。さらに、温室２００内で作業している際には、温室２００外に位置する巻き取り軸２４０の位置確認が困難であり、換気用フィルム２３０の開閉量の微妙な調整を行う際に不便でもあった。
【０００７】
本発明は上記した点に鑑みなされたものであり、固定フィルムと換気用フィルムとの間の妻面側からの風の進入を制限し、換気用フィルムのばたつきを抑制できると共に、巻き取り軸の駆動部を温室内に位置させ、駆動部の長寿命化、作業性の改善を図ることができる温室、及び換気用フィルムのばたつき抑制機構を提供することを課題とする。
【０００８】
【課題を解決するための手段】
上記した課題を解決するため、請求項１記載の本発明では、温室の側面及び天井面のうち、少なくとも一部を開閉するために、巻き取り軸により巻き取り又は巻き戻し可能に設けられる換気用フィルムと、
前記側面又は天井面を形成する骨組み材に沿って、前記換気用フィルムの端縁と重なり合って、その内側に配設される固定フィルムと
を備えた温室であって、
前記換気用フィルムと固定フィルムとの隙間からの風の進入を制限して換気用フィルムのばたつきを抑制するため、一端縁が妻面との間で隙間を有しないように配置され、他端縁が前記換気用フィルムの外面と重なり合うように配置されるカバー用フィルムを備えてなる換気用フィルムのばたつき抑制機構を設け、前記巻き取り軸に追随して移動しながら回転力を付与する駆動部を、前記カバー用フィルムの内側に配設可能としたことを特徴とする温室を提供する。
請求項２記載の本発明では、前記巻き取り軸に回転力を付与する駆動部を、該巻き取り軸に追随して移動させるため、前記固定フィルムの妻面寄りに、少なくとも該駆動部の移動範囲において前記固定フィルムが張られてない空隙部を形成し、
一端縁が妻面との間で隙間を有しないように配置され、他端縁が前記換気用フィルムの外面と重なり合うように配置される前記カバー用フィルムにより、前記空隙部を被覆したことを特徴とする請求項１記載の温室を提供する。
請求項３記載の本発明では、少なくとも前記駆動部の移動範囲に亘る長さを有すると共に、前記空隙部の形成位置に対応し、かつ前記固定フィルムを支持する骨組み材よりも外方に位置するように設けられるカバー用支持材を備え、前記カバー用フィルムは、該カバー用支持材に支持されることにより、中途部が外方に膨出した状態で設けられていることを特徴とする請求項２記載の温室を提供する。
請求項４記載の本発明では、前記カバー用フィルムは、前記換気用フィルムの巻き取り又は巻き戻し方向に沿った各端縁が、側面又は天井面を形成する適宜の骨組み材に固定されていることを特徴とする請求項１〜３のいずれか１に記載の温室を提供する。
請求項５記載の本発明では、さらに、前記換気用フィルムを巻き取り又は巻き戻しする巻き取り軸と、該巻き取り軸に連結されて回転力を付与し、前記カバー用フィルムの内側に配設される駆動部とを備えたフィルム巻き取り装置を具備することを特徴とする請求項１〜４のいずれか１に記載の温室を提供する。
請求項６記載の本発明では、温室の側面及び天井面のうち、少なくとも一部を開閉するために、巻き取り軸により巻き取り又は巻き戻し可能に設けられる換気用フィルムと、前記側面又は天井面を形成する骨組み材に沿って、前記換気用フィルムの端縁と重なり合って、その内側に配設される固定フィルムとの隙間からの風の進入を制限して、前記換気用フィルムのばたつきを抑制するために設けられ、
一端縁が妻面との間で隙間を有しないように配置され、他端縁が前記換気用フィルムの外面と重なり合うように配置されるカバー用フィルムを備えてなることを特徴とする換気用フィルムのばたつき抑制機構を提供する。
請求項７記載の本発明では、少なくとも前記巻き取り軸に回転力を付与する駆動部の移動範囲に亘る長さを有し、前記固定フィルムを支持する骨組み材よりも外方に位置するように設けられ、前記カバー用フィルムを、その中途部が外方に膨出した状態で支持可能なカバー用支持材を備えていることを特徴とする請求項６記載の換気用フィルムのばたつき抑制機構を提供する。
【０００９】
【発明の実施の形態】
以下、図面に示した実施形態に基づき本発明をさらに詳細に説明する。図１は本発明の一の実施形態にかかる温室１０の外観を示す図であり、図２は、図１のＡ方向から見た温室１０の一部を示す図であり、図３は、図１のＢ−Ｂ線に沿った概略断面図である。
【００１０】
温室１０は、骨組み材を構成するアーチ状のパイプ材１１が所定の間隔ごとに複数本設けられ、このパイプ材１１に交差するように、被覆材用の止め材１２が温室１０の長手方向に沿って配設されている。そして、固定フィルム２０や換気用フィルム４０などの被覆材を、パイプ材１１を覆うように配設し、止め材１２に対してバネ（図示せず）等により適宜部位を固定することにより形成されている。
【００１１】
このうち、妻面１４に配設されるフィルムは、出入り口（図示せず）や換気窓（図示せず）を形成する部位を除いて固定して配設される。従来、妻面１４を形成するための長手方向端部に配設されたパイプ材１１から温室１０の長手方向に沿って該パイプ材１１の数本分に亘り、固定フィルムを張設している（図６参照）。しかしながら、本実施形態では、長手方向端部に配設されたパイプ材１１と、該パイプ材１１に隣接するパイプ材１１との間には、図３に示したように固定フィルム２０を配設しない空隙部２１を形成し、固定フィルム２０は、該隣接するパイプ材１１から長手方向に沿った数本分（図３ではパイプ材３本分）に亘る幅で温室１０の側面及び天井面を覆うように配設されている。
【００１２】
固定フィルム２０の外側には、換気用フィルム４０が配設される。換気用フィルム４０は、例えば、温室１０の頂部から側面下部までを開閉可能な長さを備えている（図２参照）。もちろん、換気用フィルム４０の大きさは、温室１０の大きさ等によって種々選択でき、限定されるものではない。また、開口部の形成位置（すなわち、換気用フィルム４０の配設位置）も限定されるものではなく、温室１０の側面や天井面の任意位置に形成することができる。
【００１３】
換気用フィルム４０は、例えば、一端縁（下端縁）に巻き取り軸５０が巻き付けられ、該巻き取り軸５０が図２において上方向に回転することにより巻き取られ、下方向に回転することにより巻き戻されるように設けられている。この場合、上記従来の技術と同様に、巻き取り軸５０を換気用フィルム４０の開閉範囲の中途において巻き取り又は巻き戻し可能とし、巻き取り軸５０の移動範囲を小さくすることも可能である。
【００１４】
巻き取り軸５０に回転力を伝達する駆動部６０は、該巻き取り軸５０の端部に連結され、該巻き取り軸５０と共にフィルム巻き取り装置を構成する。本実施形態においては、該巻き取り軸５０の端部を上記した空隙部２１の範囲内に位置させ、すなわち、長手方向端部に配設されたパイプ材１１とそれに隣接するパイプ材１１との間に位置させて駆動部６０を連結している。巻き取り軸５０は、換気用フィルム４０を巻き取り又は巻き戻すに従って、換気用フィルム４０と共に移動するものである。従って、駆動部６０も巻き取り軸５０と共に移動可能に設ける必要がある。従来であれば、かかる駆動部６０を移動可能とするために、温室１０の外側に配設していたが、本実施形態では、該駆動部６０を上記空隙部２１の範囲に位置させることにより、固定フィルム２０に接触することなく移動できるものである。
【００１５】
駆動部６０は、電動式（モータ式）であってもよいし、手動式であってもよい。手動式の場合には、操作ハンドル７０を備えているが、かかる操作ハンドル７０は、上記した空隙部２１を通じて、温室１０内に位置するように設ける。これにより、作業者は、悪天候時においても、温室１０内で換気用フィルム４０の開閉操作を行うことができる。
【００１６】
温室１０の長手方向端部に配設されたパイプ材１１とそれに隣接するパイプ材１１との間の空隙部２１を塞ぐように、駆動部６０の外側には、カバー用フィルム８０が配設される。具体的には、該カバー用フィルム８０は、温室の長手方向に沿って配設される数本分のパイプ材１１に亘る幅を備え、一端縁８１が長手方向端部に配設されたパイプ材１１に止め材８１ａを介して密着固定され、他端縁８２が換気用フィルム４０の外面に重なり合うように配設される。カバー用フィルム８１の一端縁８１は、長手方向端部１１に密着していればよく、妻面１４を形成するために固定配設されるフィルムと一体的に形成されていてもよい。いずれにしても、該カバー用フィルム８０の一端縁８１と妻面１４との間から風が進入することを制限できるように設けられる。
【００１７】
また、カバー用フィルム８０は、換気用フィルム４０の巻き取り又は巻き戻し方向に沿った端縁８３，８４間の長さとしては、換気用フィルム４０の開閉範囲の長さよりも大きくなるように設定され、各端縁８３，８４は、温室１０の側面又は天井面を形成する適宜の骨組み材に固定される。本実施形態では、図２に示したように、上側の端縁８３を天頂部に長手方向に沿って配設した第１の止め材１２１に換気用フィルム４０の上縁と共に固定し、下側の端縁８４を換気用フィルム４０の下縁に取り付けられた巻き取り軸５０の下部に位置する第２の止め材１２２に固定している。従って、カバー用フィルム８０は、一端縁８１、上側の端縁８３、及び下側の端縁８４が固定され、他端縁８２は換気用フィルム４０の外面に重なり合っているだけとなり、換気用フィルム４０の巻き取り又は巻き戻し動作が、このカバー用フィルム８０によって阻害されることがない。
【００１８】
ここで、上記した駆動部６０は巻き取り軸５０の直径よりも大きな寸法を有しているため、巻き取り軸５０の端部に連結した場合には、該巻き取り軸５０の直径よりも内方及び外方に飛び出る。内方に飛び出した部位は、上記した空隙部２１内に位置するため、上下動作に支障はないが、外方に飛び出した部位は、外側に配設したカバー用フィルム８０に接触すると上下動作に支障が生じる。また、カバー用フィルム８０に損傷を与える場合もある。従って、カバー用フィルム８０は、かかる駆動部６０に接触しないように設ける必要がある。このための手段として、本実施形態においては、図２〜図４に示したように、空隙部２１の形成位置に対応して、前記カバー用フィルム８０を支持するためのカバー用支持材９０を設けている。カバー用支持材９０は、少なくとも駆動部６０の移動範囲に亘る長さを有し、各端部付近９１，９２を折り曲げ、該端部付近９１，９２を内側に向けた状態で、図４に示したように、例えば、温室１０の天頂部に配設した第１の止め材１２１と、温室１０の側面下部に位置する第２の止め材１２２とに、各端部付近９１，９２を固定して設けられる。従って、該カバー用支持材９０は、固定フィルム２０を支持する骨組み材であるパイプ材１１よりも外方に位置するように設けられ、カバー用フィルム８０の中途部をこのカバー用支持材９０の外面を通過させて設けることにより、図３に示したように、カバー用フィルム８０は、中途部が外方に膨出した状態で設けられる。これにより、空隙部２１と、カバー用フィルム８０の中途部との間に駆動部６０が該カバー用フィルム８０に接触することなく上下動可能なスペース１００が形成される。
なお、本実施形態においては、上記したカバー用フィルム８０とカバー用支持材９０とにより換気用フィルム４０のばたつき抑制機構を構成する。
【００１９】
本実施形態によれば、カバー用フィルム８０の一端縁８１が、温室１０の長手方向端部に位置するパイプ材１１に密着固定され、妻面１４との境界において隙間がなく、換気用フィルム４０は、カバー用フィルム８０の内側において巻き取り又は巻き戻し可能に配設されている。従って、一端縁８１側が風上となった場合に、従来のように、妻面と換気用フィルムとの間から風が入り込むことがなくなり、換気用フィルム４０のばたつきを抑制できる。また、強風時においてもカバー用フィルム８０の一端縁８１側からの風の進入がないため、作物の倒れ等の風害を抑制できる。
【００２０】
これに対し、カバー用フィルム８０の他端縁８２側が風上となった場合には、上記したように、カバー用フィルム８０の他端縁８２と換気用フィルム４０との間は、密着固定されているわけではなく、重なり合っているだけであるため隙間がある。従って、カバー用フィルム８０の他端縁８２側が風上となると、風は、この隙間から温室１０内に進入する。しかしながら、かかる隙間から進入する風は、換気用フィルム４０を内側に押圧するものの、固定フィルム２０が張設されているため、換気用フィルム４０を大きくはばたつかせない。そして、この風は、上記空隙部２１を通じて該固定フィルム２０の内側に入り込むが、そのまま妻面１４に向かい、妻面１４に固定して張られたフィルムに衝突することで弱まる。このため、強風時においてかかる隙間から風が進入したとしても、妻面１４に衝突することで弱まってしまうため、作物に対して悪影響を与えることもない。
【００２１】
一方、作業者は、駆動部６０の操作ハンドル７０が温室１０内に配設されることになるため、換気用フィルム４０の巻き取り又は巻き戻し作業を、温室１０内で行うことができる。温室１０内において作業ができるため、換気用フィルム４０の開閉量の確認を容易に行うことができ、開閉量の微調整も容易である。
【００２２】
なお、本発明は上記した実施形態に限定されるものではない。上記した実施形態では、長手方向端部に配設されたパイプ材１１と、該パイプ材１１に隣接するパイプ材１１との間に固定フィルム２０を配設しない空隙部２１を形成している。しかしながら、かかる空隙部２１は、巻き取り軸５０の端部に連結される駆動部６０の移動を確保するために形成されるものであり、該駆動部６０の配設位置に対応して設けられる。従来、駆動部６０の移動を確保するために、妻面１４の外方に配置するしかなかったが、本発明によれば、駆動部６０が温室１０内に配置される構成であるため、例えば、長手方向端部に配設されたパイプ材１１から長手方向に沿って数本分に相当する幅で第１の固定フィルムを設けた後、その隣に空隙部２１を形成し、さらに該空隙部２１の隣に第２の固定フィルム２０を設け、カバー用フィルム８０の一端縁８１を上記第１の固定フィルムに隙間なく接合することにより、温室１０の長手方向に沿った中間部のみを開閉する構成とすることもできる。なお、カバー用フィルム８０の一端縁８１をこの第１の固定フィルムに隙間なく接合すれば、当然に、該一端縁８１と妻面との間の隙間もなくなるため、かかる態様も本発明に含まれる。
【００２３】
また、駆動部６０が配設されない温室１０の長手方向の他端部においては、駆動部６０を移動可能とするための空隙部２１を設ける必要はないが、上記したカバー用フィルム８０を、長手方向他端部においても配設することにより、他端部方向から吹き付ける風による換気用フィルム４０のばたつきをさらに低減できる。この場合、駆動部６０が存在しないため、上記したようなカバー用支持材９０も不要であり、カバー用フィルム８０の一端縁を他端部側の妻面との間で隙間なく設け、該カバー用フィルム８０の他端縁を換気用フィルム４０の外面に重ね合わせて配設するだけでよい。従って、この場合には、カバー用フィルム８０のみでばたつき抑制機構が構成される。
【００２４】
【発明の効果】
本発明によれば、一端縁が妻面との間で隙間を有しないように配置され、他端縁が換気用フィルムの外面と重なり合うように配置されるカバー用フィルムを備えてなる換気用フィルムのばたつき抑制機構を設け、巻き取り軸に追随して移動しながら回転力を付与する駆動部を、カバー用フィルムの内側において配設可能とした。従って、妻面側から吹きつける風が温室内に入り込むことを制限でき、換気用フィルムのばたつきを抑制し、強風時における作物の倒れ等の風害も抑制できる。また、換気用フィルムの駆動部が温室内に配置されることになるため、駆動部が風雨に曝されることがなくなり、故障を低減でき、駆動部の長寿命化を図ることができる。また、作業者は、温室内で駆動部の制御作業が可能であるため、悪天候時に温室外で作業する必要がなくなり、労働負担が軽減されると共に、換気用フィルムの開閉量の確認も容易にできる。
【図面の簡単な説明】
【図１】図１は、本発明の一の実施形態に温室の外観を概略的に示す斜視図である。
【図２】図２は、図１のＡ方向から見た温室の一部を示す図である。
【図３】図３は、図１のＢ−Ｂ線に沿った概略断面図である。
【図４】図４は、カバー用支持材を示す図である。
【図５】図５は、妻面方向から見た従来の温室の一部を示す図である。
【図６】図６は、従来の温室における固定フィルムと換気用フィルムの位置関係を示す図である。
【符号の説明】
１０  温室
１１  パイプ材
１４  妻面
２０  固定フィルム
２１  空隙部
４０  換気用フィルム
５０  巻き取り軸
６０  駆動部
７０  操作用ハンドル
８０  カバー用フィルム
８１  一端縁
８２  他端縁
９０  カバー用支持材
【図１】
2004236511.tif 000003
【図２】
2004236511.tif 000004
【図３】
2004236511.tif 000005
【図４】
2004236511.tif 000006
【図５】
2004236511.tif 000007
【図６】
2004236511.tif 000008